【事件の表示】
　特許第２９２７５７７号「液晶用化合物及びその混合物」の請求項１ないし９に係る特許に対する特許異議の申立てについて、次のとおり決定する。
【結　論】
　訂正を認める。
　特許第２９２７５７７号の請求項１ないし９に係る特許を維持する。
【理　由】
I　手続の経緯
　本件特許第２９２７５７７号発明は、平成３年７月３日に特許出願され、平成１１年５月１４日に特許権の設定の登録がなされ、その後、セイミケミカル株式会社及び大日本インキ化学工業株式会社による特許異議の申立てがあり、取消理由の通知がなされ、その指定期間内である平成１３年１月１８日に訂正請求がなされたものである。
II　訂正の適否についての判断
１　訂正の内容
イ　訂正事項ａ
　訂正前の特許請求の範囲の請求項１の括弧書きの末行に、「；但しｎ＝０でかつ環Ｂが１，４−フェニレンであるときＲ１は３Ｅ−ブテニルである」という文言を追加する。
ロ　訂正事項ｂ
　訂正前の特許請求の範囲の請求項５の「請求項５の液晶混合物」を、「請求項４の液晶混合物」と訂正する。
ハ　訂正事項ｃ
　明細書の段落【０００５】の括弧書きの末行に、「；但しｎ＝０でかつ環Ｂが１，４−フェニレンであるときＲ１は３Ｅ−ブテニルである」という文言を追加する。
ニ　訂正事項ｄ
　明細書の段落【００５３】の「Ｖ１０＝０．０５Ｖ」を、「Ｖ１０＝１．０５Ｖ」と訂正する。
２　訂正の目的の適否、新規事項の有無及び拡張・変更の存否
　訂正事項ａは、請求項１の一般式Ｉで表わされる化合物の範囲を減縮したものであるから、特許請求の範囲の減縮を目的とした明細書の訂正に該当し、また、訂正事項ｃは、特許請求の範囲の訂正に伴い、該訂正との整合を図るものであるから、明りょうでない記載の釈明を目的とした明細書の訂正に該当し、さらに、訂正事項ｂ、ｄは誤記の訂正を目的とした明細書の訂正に該当したものであり、いずれも、新規事項の追加には該当せず、実質上特許請求の範囲を拡張し、又は変更するものではない。
３　むすび
　したがって、上記訂正は、特許法１２０条の４第３項において準用する平成六年法改正前の特許法第１２６条第１項ただし書及び第２項の規定に適合するので、当該訂正を認める。
III　特許異議の申立てについての判断
１　異議申立ての理由の概要
　異議申立人セイミケミカル株式会社（以下「異議１」という。）は、訂正前の請求項１ないし５、８、９に係る発明は甲第１号証（特開昭６１−７８７５３号公報）に記載された発明であり、同請求項６、７に係る発明は甲第１号証に記載された発明に基づいて当業者が容易に発明をすることができるものであるから、同請求項１ないし９に係る発明の特許は、特許法第２９条第１項、第２項の規定に違反してされたものである旨主張している。
　また、異議申立人大日本インキ化学工業株式会社（以下「異議２」という。）は、訂正前の請求項１ないし６、８、９に係る発明は甲第１号証（特開昭６１−７８７５３号公報）に記載された発明であり、同請求項１ないし７に係る発明は甲第３号証（国際公開第９０／０４６２２号パンフレット）に記載された発明であり、同請求項１ないし９に係る発明は甲第１号証、甲第２号証（特開昭５８−８３６６５号公報）及び甲第３号証に基づいて当業者が容易に発明をすることができるものであるから、同請求項１ないし９に係る発明の特許は、特許法第２９条第１項、第２項の規定に違反してされたものである旨主張している。
２　本件発明
　上記II２で示したように上記訂正が認められるから、本件請求項１ないし９に係る発明（以下「本件発明１ないし９」という。）は、訂正明細書の特許請求の範囲の請求項１ないし９に記載された次のとおりのものである。
「【請求項１】一般式：
　
　　　　　　　　　　　　　　　I
　　　
（式中、環Ａはトランス−１,４−シクロヘキシレン、１,４−フェニレン、ピリミジン−２,５−ジイル又はトランス−１,３−ジオキサン−２,５−ジイルを表わし；ｎは０又は１を表わし；環Ｂは１,４−フェニレン又はトランス−１,４−シクロヘキシレンを表わし；そしてＲ１は３Ｅ−アルケニル又は飽和環上ではまた１Ｅ−アルケニルをも表わす；但しｎ＝０でかつ環Ｂが１,４−フェニレンであるときはＲ１は３−ブテニルである）の化合物。
【請求項２】Ｒ１が最高１２個の炭素原子を有する、請求項１の化合物。
【請求項３】式：
　　
　
　                        Ic
                         Id
（式中、Ｂは１,４−フェニレンを表わす）を有する請求項１又は２の化合物。
【請求項４】少なくとも２つの成分を有し、そのうち少なくとも１つが請求項１に定義される一般式Iの化合物である、液晶混合物。
【請求項５】一般式Iの化合物の含有量が１〜５０重量％である、請求項４の液晶混合物。
【請求項６】少なくとも一般式Iの化合物の１つ、一般式III：
　
（式中、環Ｃ、Ｄ及びＥはそれぞれ独立して１,４−フェニレンもしくはトランス−１,４−シクロヘキシレンを表わすか、又は、環のうちの１つがピリミジン−２,５−ジイルをも表わし；ｍは０又は１であり、；Ｒ２はアルキル、アルコキシアルキル、３Ｅ−アルケニル、４−アルケニル又は、トランス−１,４−シクロヘキシレン上ではまた１Ｅ−アルケニルを表わし；そしてＲ３はシアノ、アルキル、アルコキシ、アルコキシアルキル、３Ｅ−アルケニル、４−アルケニル、２Ｅ−アルケニルオキシ、３−アルケニルオキシ、又はトランス−１,４−シクロヘキシレン上ではまた１Ｅ−アルケニルを表わす）の化合物の１つ又はそれ以上、及び一般式IV:
　
(式中、環Ｆはトランス−１,４−シクロヘキシレン又はトランス−１,３−ジオキサン−２,５−ジイルを表わし；Ｒ４はアルキル、１Ｅ−アルケニル、３Ｅ−アルケニル、４−アルケニル又はアルケニルオキシ表わし；Ｘ１はフッ素又は塩素を表わし；そしてＸ２は水素又はフッ素を表わす）の化合物の１つ又はそれ以上を含有する、請求項４又は５の液晶混合物。
【請求項７】２０〜８０重量％の一般式IIIの化合物及び、５〜２５重量％の一般式IVの化合物を含有する、請求項６の液晶混合物。
【請求項８】一般式：
　
（式中、Ｒ１，Ａ、Ｂ及びｎが請求項１に定義した意味を有する）の酸又はその好適な誘導体を４−シアノ−３−フルオロフェノールでエステル化することからなる、請求項１に定義した式Iの化合物の製造方法。
【請求項９】電気光学目的用の請求項１に定義した式Iの化合物。」
３　引用刊行物に記載された事項
　刊行物１（特開昭６１−７８７５３号公報、異議１、２の甲第１号証）には「一般式
　
　　　　　　　　　　　　　　（I）
（式中−ＣＨ＝ＣＨ−はトランス−１,２−ジ置換エチレン結合を示し、Ｒは炭素数１〜５のアルキル基を示し、Ｒ’は炭素数１〜８のアルキル基又は炭素数１〜８のアルコキシ基又はシアノ記載又はフッ素原子又は塩素原子を示し、Ｘは水素原子又はフッ素原子を示す）であらわされるトランス−エチレン誘導体化合物。」（特許請求の範囲第１項）、「本発明は液晶電気光学素子に用いられるトランス−エチレン誘導体化合物およのそれを含有する液晶組成物に関する。」（１頁右下欄下から６〜４行）と記載され、実施例７には４−シアノ−３−フルオロフェニル−４'−（ペンテ−３”−ニイル）ベンゾエートが記載されている（昭和６０年９月２４日付け手続補正書により補正された明細書の実施例７参照。）。
　刊行物２（特開昭５８−８３６６５号公報、異議２の甲第２号証）には「
一般式
　
〔式中、Ｒは炭素原子数１〜１０の直鎖状アルキル基を表わす〕で表わされる化合物。」（特許請求の範囲）、「本発明は、電気光学的表示材料として有用なエステル誘導体の新規ネマチック液晶化合物に関する。」（１頁左下欄１２〜１４行）、「第１図及び第２図より、本発明化合物（ｂ）（注；「ｎ−プロピルベンゾイルオキシ−３'−フロロ−４'−シアノベンゼン」を意味する。）は公知化合物（ａ）（注；「ｎ−プロピルベンゾイルオキシ−３'−クロロ−４'−シアノベンゼン」を意味する。）に比して、同量の添加で、閾値電圧を一層低い値まで低下させることができる」（３頁左下欄７〜９行）と記載されている。
　刊行物３（国際公開第９０／０４６２２号パンフレット、異議２の甲第３号証）には「本発明は非常に短いスイッチング時間を有し、かつまた良好な急峻性および視野角特性を有するスーパーツイスト液晶表示体（ＳＦＡ）に関し、さらにまた、本発明はこれら表示体で使用される新規なネマティック液晶混合物に関する。」（１頁２〜５行）、「広い動作温度範囲、・・・および低いしきい電圧を有するＳＦＡが依然として、非常に求められている。・・・ここに、下記の成分を含有するネマチック液晶混合物を使用すると、この目的を達成することができることが見い出された」（２頁１８〜２９行）、「いくつかの特に好ましい小グループを下記にあげる・・・
　　
　　　　　　　　　　　　　　　Ｃ５
・・・Ｒ１は好ましくは、Ｃ原子１〜７個を有するｎ−アルキル、Ｃ原子３〜７個を有するｎ−オキサアルキル（たとえば、ｎ−アルコキシメチル）またはＣ原子３〜７個を有するｎ−アルケニルである。ＹはＨまたはフッ素であり、・・・ｙは０または１である。」（１７頁１〜２６行）と記載され、具体的に、各化合物による液晶混合物を製造してその液晶特性が計測されている。
４　対比・判断
（１）本件発明１について
ア　特許法第２９条第１項違反について
　本件発明１と刊行物１に記載された発明を対比すると、刊行物１には、４位アルケニル基であるＲ−ＣＨ＝ＣＨ−ＣＨ２−ＣＨ２−（式中、Ｒは炭素原子数１〜１０の直鎖状アルキル基である）を含む安息香酸フェニイルエステルが記載され、一方、本件発明１に係る化合物は、一般式Ｉにおいて「ｎ＝０でかつ環Ｂが１，４−フェニレンであるときはＲ１は３−ブテニルである」と定義され、この場合には４−（３−ブテニル）安息香酸フェニルエステルのみを意味するものとなるから、刊行物１記載の一般式（Ｉ）の化合物において定義される化合物と相違するものである。
　したがって、本件発明１は刊行物１に記載された発明であるとはいえない。
　また、本件発明１と刊行物３に記載された発明を対比すると、刊行物３には、式Ｃ５で表わされる化合物が、いわゆるマーカッシュ形式によって複数の選択肢を有する置換基の組み合わせの形で記載され、一方、本件発明１の一般式Ｉで表わされる化合物は、刊行物３の式Ｃ５において置換基Ｒ１及び置換基Ｙの選択肢の一部とするもの、すなわち、置換基Ｒ１がアルケニル基、置換基Ｙがフッ素原子であることを唯一の選択肢としている。
　ところで、化合物に係る発明は、新たな化学物質の創案を本質とするものであるから、発明として成立するためには、少なくともその化学物質名（あるいは化学構造式）及びその製造方法が特定される必要があると解される。　したがって、本件発明について特許法第２９条第１項の規定を適用するためには、引用刊行物に、本件発明の化合物に相当する化合物の化学物質名（あるいは化学構造式）及びその製造方法が記載されていなければならない。
　これを本件についてみると、刊行物３には、上記したように、式Ｃ５において複数の選択肢を有する置換基Ｒ１、Ｙを組み合わせた形で化合物が記載され、そして、本件発明１の化合物に相当する、置換基Ｒ１がアルケニル基、置換基Ｙがフッ素原子であることを選択肢の一部としていることは明らかである。
　したがって、本件発明について特許法第２９条第１項の規定を適用することの適否は、刊行物３に、上記した置換基を同時に有する化合物の製造方法が記載されているか（あるいは、記載されているに等しいと認められるか）否かによることになる。
　そこで、検討するに、刊行物３には「本発明に係るＳＦＡで使用することのできる式ＡI〜ＡVI・・・および式ＣI〜ＣIIIで示される化合物およびその他の化合物はそれぞれ、既知であるか、あるいは既知化合物と同様に製造することができる。」（１０頁１０〜１４行）と記載され、液晶化合物は、化学構造式あるいは化学物質名で記載され、特に具体的な製造方法は記載されていない。
　これらの記載によれば、置換基Ｒ１としてアルキル基のみが記載され、アルケニル基を置換基とする化合物は記載されていなく、したがって、置換基としてアルケニル基とフッ素原子を同時に有する化合物は具体的に記載されていないこと、また、本件発明１の化合物の原料化学物質に関する記載は全く存在していないことが認められる。
　そうすると、刊行物３には、本件発明１の化合物の製造方法が具体的に記載されているということはできないし、その製造方法が当該刊行物の頒布時に周知の事項であったと認めるに足りる証拠もないことから、本件発明１の化合物の製造方法は記載されていないと解するのが相当である。
　したがって、本件発明１は刊行物３に記載された発明であるとはいえない。
イ　特許法第２９条第２項違反について
　刊行物２には、末端アルキル基を有する４−シアノ−３−フルオロフェニルベンゾエートが記載されているのみであり、置換基としてアルケニル基を有する化合物について示唆されていない。
　そうすると、刊行物１、３には、上記したように、置換基としてアルケニル基とフッ素原子を同時に有する化合物について記載されていないこと、刊行物２には、置換基としてアルケニル基を有する化合物について示唆されていないことに照らせば、刊行物１ないし３を併せ考えても、本件発明１は当業者が容易に想到しえたものとはいえない。
　そして、本件発明１は低いしきい値電圧を有する液晶混合物を得ることができるという顕著な効果を奏するものである。
　したがって、本件発明１は、刊行物１ないし３に記載された発明に基づいて当業者が容易に発明をすることができたものではない。
（２）本件発明２ないし９について
　本件発明２、３は本件発明１を更に技術的に限定したものであり、本件発明４ないし７は本件発明１の化合物を含有する液晶混合物に係る発明であり、また、本件発明８は本件発明１の化合物の製造方法に係る発明であり、さらに、本件発明９は本件発明１に電気光学目的用という限定を付した発明であるから、上記と同様の理由により、本件発明２ないし９は、刊行物１、３に記載された発明であるとはいえないし、刊行物１ないし３に記載された発明に基づいて当業者が容易に発明をすることができたものでもない。
５　むすび
　以上のとおりであるから、特許異議の申立ての理由及び証拠によっては、本件発明１ないし９に係る特許を取り消すことはできない。
　また、他に本件発明１ないし９に係る特許を取り消すべき理由を発見しない。
  よって、結論のとおり決定する。
【異議決定日】
平成１３年７月３日（２００１．７．３）
【訂正の要旨】
訂正の要旨
１　訂正事項ａ
　特許請求の範囲の減縮を目的として、特許請求の範囲の請求項１の括弧書き内の末行に、「；但しｎ＝０でかつ環Ｂが１，４−フェニレンであるときＲ１は３Ｅ−ブテニルである」という文言を追加する。
２　訂正事項ｂ
　明細書の誤記の訂正を目的として、特許請求の範囲の請求項５の「請求項５の液晶混合物」を、「請求項４の液晶混合物」と訂正する。
３　訂正事項ｃ
　特許請求の範囲の訂正に伴い、該訂正との整合を図るために、明細書の段落【０００５】の括弧書き内の末行に、「；但しｎ＝０でかつ環Ｂが１，４−フェニレンであるときＲ１は３Ｅ−ブテニルである」という文言を追加するものであり、明細書の明りょうでない記載の釈明を目的とするものである。
４　訂正事項ｄ
　明細書の誤記の訂正を目的として、明細書の段落【００５３】の「Ｖ１０＝０．０５Ｖ」を、「Ｖ１０＝１．０５Ｖ」と訂正する。
（５４）【発明の名称】
液晶用化合物及びその混合物
（５７）【特許請求の範囲】
　【請求項１】　一般式　：
　【化１】
（式中、環Ａはトランス−１，４−シクロヘキシレン、１，４−フェニレン、ピリミジン−２，５−ジイル又はトランス−１，３−ジオキサン−２，５−ジイルを表わし；ｎは０又は１を表わし；環Ｂは１，４−フェニレン又はトランス−１，４−シクロヘキシレンを表わし；そしてＲ１は３Ｅ−アルケニル又は飽和環上ではまた１Ｅ−アルケニルをも表わす；但しｎ＝０でかつ環Ｂが１，４−フェニレンであるときＲ１は３−ブテニルである）の化合物。
　【請求項２】　Ｒ１が最高１２個の炭素原子を有する、請求項１の化合物。
　【請求項３】　式：
　【化２】
　【化３】
　【化４】
（式中、Ｂは１，４−フェニレンを表わす）を有する請求項１又は２の化合物。
　【請求項４】　少なくとも２つの成分を有し、そのうち少なくとも１つが請求項１に定義される一般式Ｉの化合物である、液晶混合物。
　【請求項５】　一般式Ｉの化合物の含有量が１〜５０重量％である、請求項４の液晶混合物。
　【請求項６】　少なくとも一般式Ｉの化合物の１つ、一般式ＩＩＩ：
　【化５】
（式中、環Ｃ、Ｄ及びＥはそれぞれ独立して１，４−フェニレンもしくはトランス−１，４−シクロヘキシレンを表わすか、又は、環のうち１つがピリミジン−２，５−ジイルをも表わし；ｍは０又は１であり；Ｒ２はアルキル、アルコキシアルキル、３Ｅ−アルケニル、４−アルケニル又は、トランス−１，４−シクロへキシレン上ではまた１Ｅ−アルケニルを表わし；そしてＲ３はシアノ、アルキル、アルコキシ、アルコキシアルキル、３Ｅ−アルケニル、４−アルケニル、２Ｅ−アルケニルオキシ、３−アルケニルオキシ、又はトランス−１，４−シクロヘキシレン上ではまた１Ｅ−アルケニルを表わす）の化合物の１つ又はそれ以上、及び一般式ＩＶ
　【化６】
（式中、環Ｆはトランス−１，４−シクロヘキシレン又はトランス−１，３−ジオキサン−２，５−ジイルを表わし；Ｒ４はアルキル、１Ｅ−アルケニル、３Ｅ−アルケニル、４−アルケニル又はアルケニルオキシを表わし；Ｘ１はフッ素又は塩素を表わし；そしてＸ２は水素又はフッ素を表わす）の化合物の１つ又はそれ以上を含有する、請求項４又は５の液晶混合物。
　【請求項７】　２０〜８０重量％の一般式ＩＩＩの化合物及び、５〜２５重量％の一般式ＩＶの化合物を含有する、請求項６の液晶混合物。
　【請求項８】　一般式：
　【化７】
（式中、Ｒ１、Ａ、Ｂ及びｎが請求項１に定義した意味を有する）の酸又はその好適な誘導体を４−シアノ−３−フルオロフェノールでエステル化することからなる、請求項１に定義した式Ｉの化合物の製造方法。
　【請求項９】　電気光学目的用の請求項１に定義した式Ｉの化合物。
【発明の詳細な説明】
　【０００１】
　【産業上の利用分野】
　本発明は新規な４−シアノ−３−フルオロフェニルエステル、その製造方法、これらの化合物を含有する液晶混合物及びその電気光学目的に対する使用に関する。
　【０００２】
　【従来の技術】
　液晶は、この物質の光学的特性が与えられた電圧に影響されるので、指示器具の誘電体として主に用いられる。液晶に基づく電気光学的機器は当業者によく知られており、様々な効果に基づいている。そのような機器の例としては、動的散乱を有するセル、ＤＡＰ（斜交相の変形）セル、ゲスト／ホストセル、「ねじれネマチック」構造を有するＴＮセル、ＳＴＮ（超ねじれネマチック）セル、ＳＢＥ（超複屈折効果）セル及びＯＭＩ（光学モード干渉）セルがある。最も普通の指示機器はシャット−ヘルフリッヒ（Ｓｃｈａｄｔ−Ｈｅｌｆｒｉｃｈ）効果に基づき、ねじれネマチック構造を有する。
　【０００３】
　【発明が解決しようとする課題】
　液晶は優れた化学及び熱安定性を有し、磁場及び電磁放射線に対する安定性を有していなければならない。さらに、液晶は粘度が低く、セルの中での応答時間が短く、低いしきい値電位及び高いコントラストを有しているべきである。それらは好適なメソフェーズを有しており、例えば、前記したセルのためのネマテイック及びコレステリックなメソフェーズを有するべきである。導電性、誘電異方性及び光学異方性のようなその他の特性は、セルのタイプにより異なる要求を満たさなければならない。
　【０００４】
　液晶は一般に混合物として用いられる、というのは、個々の応用において要求される特性が、様々の成分を混合することによって最適のものとなるためである。それゆえ、成分が互いに良好な混和性を有することが重要である。
　【０００５】
　【課題を解決するための手段】
　本発明は一般式：
　【化８】
（式中、環Ａはトランス−１，４−シクロヘキシレン、１，４−フェニレン、ピリミジン−２，５−ジイル又はトランス−１，３−ジオキサン−２，５−ジイルを表わし；ｎは０又は１を表わし；環Ｂは１，４−フェニレン又はトランス−１，４−シクロヘキシレンを表わし；そしてＲ１は３Ｅ−アルケニル又は飽和環上では１Ｅ−アルケニルをも表わす；但しｎ＝０でかつ環Ｂが１，４−フェニレンであるときＲ１は３−ブテニルである）の化合物を提供するものである。
　【０００６】
　式Ｉの化合物は驚くべき広いメソフェーズ領域及び比較的高い澄明点を有する液晶である。それらは通常の液晶物質と良好な混和性を有する。さらに、それらは高い正の誘電異方性及び比較的低いしきい値電位を有している。本発明による化合物は、ネマチック及びコレステリック混合物の成分として好適であり、その良好な溶解性のせいで、比較的高濃度で用いられる。それらの高い誘電異方性を考慮すると、それらはメソフェーズを制約することなく混合物のしきい値電位を低下させる。
　【０００７】
　式Ｉの化合物の特性は、環の数及び意味によって、ある程度まで変化させうる。例えば、芳香環は高い光学異方性値、そして飽和環は低い光学異方性値を示し、ピリミジン−２，５−ジイル及びトランス−１，３−ジオキサン−２，５−ジイルのような環は誘電異方性に影響する。さらに、式Ｉの化合物でｎ＝１であるものは、その高い澄明点が特長である。
　【０００８】
　「ピリミジン−２，５−ジイル」という言葉は、２−及び５−位置で置換されたピリミジン環を表わす。「トランス−１，３−ジオキサン−２，５−ジイル」という言葉は２−及び５−位置で置換された１，３−ジオキサン環を表わし、その場合、置換基は互いにトランスである。上記の式Ｉの環Ａとして存在するピリミジン又は１，３−ジオキサン環は２−又は５−の位置、好ましくは２−の位置で環Ｂと結合していてもよい。
　【０００９】
　「飽和された環」という言葉は、トランス−１，４−シクロヘキシレン及びトランス−１，３−ジオキサン−２，５−ジイルを表わす。
　【００１０】
　「３Ｅ−アルケニル」という言葉は直鎖及び分岐した基、例えば、３−ブテニル、３Ｅ−ペンチニル、３Ｅ−ヘキセニル、３Ｅ−オクテニル及びそれらの同類を含む。「１Ｅ−アルケニル」という言葉は直鎖及び分岐した基、例えば、ビニル、１Ｅ−プロペニル、１Ｅ−ブテニル、１Ｅ−ペンテニル、１Ｅ−ヘキセニル、１Ｅ−ヘプテニル、１Ｅ−オクテニル及びその同類を含む。
　【００１１】
　式Ｉは特に式Ｉａ、Ｉｂ、Ｉｃ、Ｉｄ及びＩｅ：
　【化９】
　【００１２】
　【化１０】
　【００１３】
　【化１１】
　【００１４】
　【化１２】
　【００１５】
　【化１３】
　【００１６】
（式中、Ｒ１及び環Ｂは前記した意味を有する）の化合物を包含する。
　【００１７】
　好ましくは、式Ｉ及びＩａ−Ｉｅ中の環Ｂは１，４−フェニレンを表わす。
　【００１８】
　好ましくは、上記した式Ｉａ−ＩｅにおいてＲ１は最高１２個の炭素原子を有し、特に好ましい残基Ｒ１は７個までの炭素原子を有し、特に、５個までの炭素原子を有する、例えば、３−ブテニル及び３Ｅ−ペンテニル並びにその同類、又は、飽和環上では、ビニル、１Ｅ−プロペニル、１Ｅ−ブテニル、１Ｅ−ペンチニル及びその同類でもある。
　【００１９】
　式１の化合物は本発明により、一般式：
　【化１４】
（式中、環Ａ、環Ｂ、Ｒ１及びｎは上述した意味を有する）の酸か、この酸の好適な誘導体を、４−シアノ−３−フルオロフェノールでエステル化して製造される。式ＩＩの酸又はその好適な誘導体、例えば酸ハライド、酸エステル、無水物又はその同類のエステル化は、公知の方法で実施される。好ましくは、一般式ＩＩの酸を４−シアノ−３−フルオロフェノールと、Ｎ，Ｎ’−ジシクロヘキシルカルボジイミド及び４−（ジメチルアミノ）ピリジンの存在下で、公知の方法で、例えば、ヨーロッパ特許公開第０１２２３８９号公報に記載の方法で、反応させる。
　【００２０】
　一般式ＩＩの酸は公知であり、例えば、公知のニトリルから加水分解によって製造される（ヨーロッパ特許公開第０１２２３８９号公報及び第０１６７９１２号）。
　【００２１】
　本発明は、また、少なくとも２個の成分を有し、そのうち少なくとも１つの成分が式Ｉの化合物である液晶混合物に関する。
　【００２２】
　比較的高いそれらの誘電異方性のせいで、式Ｉの化合物は、本発明による液晶混合物中で、ネマチック領域を制限することなくしきい値電位を低下させる。本発明の式Ｉの化合物は特に、高い正の誘電異方性を有するネマチック混合物に適しており、少なくとも１個の成分が光学的に活性である限りでは、正の誘電異方性を有するコレステリックな混合物にも好適である。それらはとりわけ、ねじれネマチック液晶構造を有するセルにおける使用、特にＳＴＮセルに好適である。
　【００２３】
　式Ｉの化合物の良好な溶解性を考慮し、かつそれら相互の良好な混和性を考慮すると、本発明による混合物中のそれらの含有量は比較的高い。一般にしかし、式Ｉの化合物の１−５０重量％、特に約５−３０重量％の含有量が好ましい。
　【００２４】
　好ましい面としては、１つ又はそれ以上の式Ｉの化合物に加えて、１つ又はそれ以上の、一般式：
　【化１５】
　（式中、環Ｃ、Ｄ及びＥはそれぞれ独立して１，４−フェニレン、もしくはトランス−１，４−シクロヘキシレンを表わすか、又は環のうち１つがピリミジン−２，５−ジイルを表わしてもおり；ｍは０又は１のいずれかであり；Ｒ２はアルキル、アルコキシアルキル、３Ｅ−アルケニル、４−アルケニルであるか、又はトランス−１，４−シクロヘキシレン上ではまた１Ｅ−アルケニルでもあり；そしてＲ３はシアノ、アルキル、アルコキシ、アルコキシアルキル、３Ｅ−アルケニル、４−アルケニル、２Ｅ−アルケニルオキシ、３−アルケニルオキシ又は、トランス−１，４−シクロヘキシレン上ではまた１Ｅ−アルケニルである）の化合物、及び、
　【００２５】
１つ又はそれ以上の、一般式：
　【化１６】
（式中、環Ｆはトランス−１，４−シクロヘキシレン又はトランス−１，３−ジオキサン−２，５−ジイルであり；Ｒ４はアルキル、１Ｅ−アルケニル、３Ｅ−アルケニル、４−アルケニル又はアルケニルオキシを表わし；Ｘ１はフッ素又は塩素を表わし；Ｘ２は水素又はフッ素を表わす）の化合物を含有する混合物に関する。
　【００２６】
　好ましくはこれらの液晶混合物は、１つ又はそれ以上の式Ｉの化合物に加えて、１つ又はそれ以上の一般式ＩＩＩの化合物の一定量を含有することができ、それは好ましくは２０〜８０％である。１つ又はそれ以上の式ＩＩＩの化合物の量は、４０〜６０％が特に好ましい。液晶混合物は、１つ又はそれ以上の式Ｉの化合物と１つ又はそれ以上の式ＩＩＩの化合物に加えて、１つ又はそれ以上の一般式ＩＶの化合物の一定量を含有することができる。この量は、好ましくは５〜２５％、特に１０〜２０％である。
　【００２７】
　本発明による化合物との混合物としての使用に優れて適している他の化合物は、一般式：
　【化１７】
　【００２８】
　【化１８】
　【００２９】
　【化１９】
　【００３０】
　【化２０】
　【００３１】
　【化２１】
　【００３２】
　【化２２】
　【００３３】
　【化２３】
　【００３４】
　【化２４】
　【００３５】
　【化２５】
　【００３６】
　【化２６】
　【００３７】
　【化２７】
　【００３８】
　【化２８】
　【００３９】
　【化２９】
　【００４０】
　【化３０】
　【００４１】
　【化３１】
　【００４２】
（式中、ｎは０又は１の数を表わし；Ｒ５及びＲ７はそれぞれ独立して、アルキル、アルコキシアルキル、３Ｅ−アルケニル、４−アルケニル又は飽和環上ではまた、１Ｅ−アルケニルをも表わし；Ｒ６は、アルキル、３Ｅ−アルケニル、４−アルケニル又は、シクロヘキサン環上ではまた１Ｅ−アルケニルをも表わすか、又はベンゼン環上ではまたシアノ、ノソチオシアナト、アルコキシ、２Ｅ−アルケニルオキシもしくは３−アルケニルオキシをも表わし；環Ｇは１，４−フェニレン又はトランス−１，４−シクロヘキシレンを表わし；Ｒ８はアルキル、１Ｅ−アルケニル、３Ｅ−アルケニル又は４−アルケニルを表わし；Ｚ１及びＺ２はそれぞれ共有単結合又はエチレン表わし、２つの芳香環は単結合によって結合されているにすぎない；Ｒ９はシアノ、アルキル、１Ｅ−アルケニル、３Ｅ−アルケニル、４−アルケニル、アルコキシ、２Ｅ−アルケニルオキシ、３−アルケニルオキシ、アルコキシメチル又は（２Ｅ−アルケニル）オキシメチルを表わし；環Ｉは１，４−フェニレン、トランス−１，４−シクロヘキシレン、ピリジン−２，５−ジイル、ピリミジン２，５−ジイル又はトランス−１，３−ジオキサン−２，５−ジイルを表わし；環Ｈはトランス−１，４−シクロヘキシレン又はトランス−１，３−ジオキサン−２，５−ジイルを表わし；Ｒ１０はフッ素、塩素又はシアノを表わし；Ｒ１１はアルキル、１Ｅ−アルケニル、３Ｅ−アルケニル又は４−アルケニルを表わし、Ｒ１２はフッ素又は塩素をあらわし；Ｘ２は水素又はフッ素を表わし；そしてＸ３は水素、フッ素又は塩素を表わしている）
　【００４３】
　「飽和環」という言葉はトランス−１，４−シクロヘキシレン及びトランス−１，３−ジオキサン−２，５−ジイルを包含する。残基Ｒ５からＲ９までとＲ１１とはそれぞ好ましくは最高で１２個の炭素原子を有する。一般に直鎖が好ましい。
　【００４４】
　式Ｉの化合物及びそれらの化合物を含有する液晶混合物の製造方法は下記の実施例に詳細に説明した。Ｃは結晶質相、Ｎはネマチック相を表わし、Ｉは等方性相、Ｖ１０は１０％伝導のための電圧、ｔｏｎ及びｔｏｆｆはそれぞれ、スイッチ入れ及びスイッチ切り時間、Δｎは光学的異方性を表わす。電気光学的特性はほかに記載のないかぎり、２２℃で測定した。
　【００４５】
　【実施例】
実施例１
　２．６８ｇの４−［トランス−４−（１Ｅ−プロペニル）シクロヘキシル］安息香酸、１．８ｇの４−シアノ−３−フルオロフェノール及び１８７ｍｇの４−（ジメチルアミノ）ピリジンを２５ｍｌ塩化メチレンに懸濁させた液を０℃に冷却し、撹拌しつつ３．１７ｇのＮ，Ｎ’−ジ（シクロヘキシル）カルボジイミドで処理した。０℃で５分間及び室温で３時間撹拌の後、懸濁液を濾過し、濾液を濃縮した。残渣を５０ｇの塩基性酸化アルミニウム上で塩化メチレンでクロマトグラフィー精製し、それに続いてヘキサン／酢酸エチルによる結晶化により、２．６７ｇの４−シアノ−３−フルオロフェニル４−［トランス−４−（１Ｅ−プロペニル）シクロヘキシル］安息香酸が無色の結晶として生成した；ｍ．ｐ．（Ｃ−Ｎ）１１７．５℃、ｃｌ．ｐ．（Ｎ−１）２３３．１℃
　【００４６】
　同様の方法で次のものが製造される。
　４−シアノ−３−フルオロフェニル４−（３−ブテニル）ベンゾエート、ｍ．ｐ．（Ｃ−Ｉ）６８．６℃、ｃｌ．ｐ．（Ｎ−Ｉ）３７℃、
　　４−シアノ−３−フルオロフェニル４−（３Ｅ−ペンテニル）ベンゾエート、ｍ．ｐ．（Ｃ−Ｉ）６４．８℃、ｃｌ．ｐ．（Ｎ−１）５４．７℃、
　４−シアノ−３−フルオロフェニル４−［４’−（３−ブテニル）ビフェニル］カルボキシレート、
　４−シアノ−３−フルオロフェニル４−［４’−（３Ｅ−ペンテニル）ビフェニル］カルボキシレート、
　４−シアノ−３−フルオロフェニル４−［トランス−４−（３−ブテニル）シクロヘキシル］ベンゾエート、
　４−シアノ−３−フルオロフェニル４−［トランス−４−（３Ｅ−ペンテニル）シクロヘキシル］ベンゾエート、
　４−シアノ−３−フルオロフェニル４−［トランス−４−ビニルシクロヘキシル］ベンゾエート、
　４−シアノ−３−フルオロフェニル４−［トランス−４−（３−ブテニル）シクロヘキシル］ベンゾエート、
　４−シアノ−３−フルオロフェニル４−［トランス−４−（３Ｅ−ペンテニル）シクロヘキシル］ベンゾエート、
　４−シアノ−３−フルオロフェニル４−［トランス−５−ビニルー（１，３−ジオキサン−２−イル）ベンゾエート、
　４−シアノ−３−フルオロフェニル４−［トランス−５−（３−ブテニル）−（１，３−ジオキサン−２−イル）］ベンゾエート、
　４−シアノ−３−フルオロフェニル４−［トランス−５−（３Ｅ−ペンテニル）−２−（１，３−ジオキサン−２−イル）］ベンゾエート、
　４−シアノ−３−フルオロフェニル４−［トランス−５−（１Ｅ−プロペニル）−２−（１，３−ジオキサン−２−イル）ベンゾエート、ｍ．ｐ．（Ｃ−Ｎ）１２２．６℃、ｃｌ．ｐ．（Ｎ−Ｉ）２４２．５℃
　４−シアノ−３−フルオロフェニル４−［５−（３−ブテニル）−２−ピリミジル］ベンゾエート、
　４−シアノ−３−フルオロフェニル４−［５−（３Ｅ−ペンテニル）−２−ピリミジル］ベンゾエート、
　４−シアノ−３−フルオロフェニルトランス−４−ビニルシクロヘキサンカルボキシレート、
　４−シアノ−３−フルオロフェニルトランス−４−（１Ｅ−プロペニル）シクロヘキサンカルボキシレート、
　４−シアノ−３−フルオロフェニルトランス−４−（３−ブテニル）シクロヘキサンカルボキシレート、
　４−シアノ−３−フルオロフェニルトランス−４−（３Ｅ−ペンテニル）−シクロヘキサンカルボキシレート、
　４−シアノ−３−フルオロフェニルトランス−４’−ビニルビシクロヘキシルカルボキシレート、
　４−シアノ−３−フルオロフェニルトランス−４’−（１Ｅ−プロペニル）ビシクロヘキシルカルボキシレート、
　４−シアノ−３−フルオロフェニルトランス−４’−（３−ブテニル）ビシクロヘキシルカルボキシレート、
　４−シアノ−３−フルオロフェニルトランス−４’−（３Ｅ−ペンテニル）ビシクロヘキシルカルボキシレート、
　４−シアノ−３−フルオロフェニルトランス−４−［４−（３−ブテニル）フェニル］シクロヘキサンカルボキシレート、
　４−シアノ−３−フルオロフェニルトランス−４−［４−（３Ｅ−ペンテニル）フェニル］シクロヘキサンカルボキシレート、
４−シアノ−３−フルオロフェニルトランス−４−［トランス−５−ビニル−２−（１，３−ジオキサン−２−イル）］シクロヘキサンカルボキシレート、
　４−シアノ−３−フルオロフェニルトランス−４−［トランス−５−（１Ｅ−プロペニル）−２−（１，３−ジオキサン−２−イル）］シクロヘキサンカルボキシレート、
　４−シアノ−３−フルオロフェニルトランス−４−［トランス−５−（３−ブテニル）−２−（１，３−ジオキサン−２−イル）］シクロヘキサンカルボキシレート、
　４−シアノ−３−フルオロフェニルトランス−４−［トランス−５−（３Ｅ−ペンテニル）−２−（１，３−ジオキサン−２−イル）］シクロヘキサンカルボキシレート、
　４−シアノ−３−フルオロフェニル４−［５−（１Ｅ−プロペニル）−２−（１，３−ジオキサン−２−イル）］ベンゾエート、ｍ．ｐ．（Ｃ−Ｎ）１２２．６℃、ｃｌ．ｐ．（Ｎ−Ｉ）１８６℃，
　４−シアノ−３−フルオロフェニルトランス−４−［５−（３−ブテニル）−２−ピリミジニル］シクロヘキサンカルボキシレート　及び
　４−シアノ−３−フルオロフェニルトランス−４−［５−（３Ｅ−ペンテニル）−２−ピリミジニル］シクロヘキサンカルボキシレート
　【００４７】
　出発物質としての４−［トランス−４−（１Ｅ−プロペニル）シクロヘキシル］安息香酸は、次のようにして製造される。
　【００４８】
　２．５ｇの４−［トランス−４−（１Ｅ−プロペニル）シクロヘキシル］ベンゾニトリルと６．２２ｇの水酸化カリウムとの５０ｍｌジエチレングリコール中の混合物を、１８０℃で２．５時間撹拌し、冷却して氷水／塩化メチレン中に加え、２５％塩酸でに酸性にした。塩化メチレンで生成物を抽出し、有機相を繰り返し洗浄し、硫酸マグネシウム上で乾燥した後、有機相を蒸発させ、２．６８ｇの４−［トランス−４−（１Ｅ−プロペニル）シクロヘキシル］安息香酸を無色の固体として得た。
　【００４９】
実施例２
　化合物の性質を、４−（トランス−４−ペンチルシクロヘキシル）ベンゾニトリルとの二成分混合物を製造し、そのしきい値電圧及びＴＮセル（低バイアスチルト）中での応答時間を８μｍのプレート分離率で測定した。実施電圧としてはしきい値電圧の２．５倍の価のＶ１０を選択した。純粋４−（トランス−４−ペンチルシクロヘキシル）ベンゾニトリルに相当するデータは、ｃｌ．ｐ．（Ｎ−Ｉ）５４．６℃、Ｖ１０＝１．６２Ｖ、ｔｏｎ＝３０ｍｓ、ｔｏｆｆ＝４２ｍｓ、Δｎ＝０．１２０であった。
　【００５０】
混合物Ａ
　９０重量％の４−（トランス−４−ペンチルシクロヘキシル）ベンゾニトリル、１０重量％の４−シアノ−３−フルオロフェニル４［トランス−４−（１Ｅ−プロペニル）−シクロヘキシル］ベンゾエート
ｃｌ．ｐ．（Ｎ−１）６４．２℃、Ｖ１０＝１．４６Ｖ，ｔｏｎ＝３１ｍｓ、ｔｏｆｆ＝４９ｍｓ
　【００５１】
混合物　Ｂ
　８０重量％の４−（トランス−４−ペンチルシクロヘキシル）ベンゾニトリル、２０重量％の４−シアノ−３−フルオロフェニル４−［トランス−４−（１Ｅ−プロペニル）シクロヘキシル］ベンゾエート
ｃｌ．ｐ．（Ｎ−Ｉ）７６．９℃、Ｖ１０＝１．４５Ｖ、ｔｏｎ＝４１ｍｓ、ｔｏｆｆ＝６０ｍｓ
　【００５２】
混合物Ｃ
　９０重量％の４−（トランス−４−ペンチルシクロヘキシル）ベンゾニトリル、１０重量％の４−シアノ−３−フルオロフェニル（３−ブテニル）ベンゾエートｃｌ．ｐ．（Ｎ−Ｉ）５０．８℃、Ｖ１０＝１．２４Ｖ、ｔｏｎ＝３５ｍｓ、ｔｏｆｆ＝４７ｍｓ、Δｎ＝０．１２７
　【００５３】
混合物Ｄ
　８０重量％の４−（トランス−４−ペンチルシクロヘキシル）ベンゾニトリル、２０重量％の４−シアノ−３−フルオロフェニル（３−ブテニル）ベンゾエート
ｃｌ．ｐ．（Ｎ−Ｉ）４７．３℃、Ｖ１０＝１．０５Ｖ、ｔｏｎ＝３３ｍｓ、ｔｏｆｆ＝５５ｍｓ、Δｎ＝０．１２９
　【００５４】
混合物Ｅ
　９０重量％の４−（トランス−４−ペンチルシクロヘキシル）ベンゾニトリル、１０重量％の４−シアノ−３−フルオロフェニル４−（３Ｅ−ペンチニル）ベンゾエート
ｃｌ．ｐ．（Ｎ−Ｉ）５３．２℃、Ｖ１０＝１．２９Ｖ、ｔｏｎ＝３１ｍｓ、ｔｏｆｆ＝４８ｍｓ、Δｎ＝０．１２６
　【００５５】
混合物Ｆ
　８０重量％の４−（トランス−４−ペンチルシクロヘキシル）ベンゾニトリル、２０重量％の４−シアノ−３−フルオロフェニル４−（３Ｅ−ペンテニル）ベンゾエート
ｃｌ．ｐ．（Ｎ−Ｉ）５１．９℃、Ｖ１０＝１．１５Ｖ、ｔｏｎ＝４２ｍｓ、ｔｏｆｆ＝５２ｍｓ、Δｎ＝０．１３２
　【００５６】
実施例３
　本発明による化合物の使用を次の混合物において例示した。
基本混合物１
６．５％の４−（５−ブチル−２−ピリミジニル）ベンゾニトリル、
７％の　　４−［トランス−４−（１Ｅ−プロペニル）シクロヘキシル］ベンゾニトリル、
３％の　　２−シアノ−５−（トランス−４−ブチルシクロヘキシル）ピリミジン、
３％の　　２−シアノ−５−（トランス−４−ペンチルシクロヘキシル）ピリミジン、
２％の　　２−（トランス−４−シアノシクロヘキシル）−５−（トランス−４−ブチルシクロヘキシル）ピリミジン、
３％の　　４−シアノ−４’−［トランス−４−（１Ｅ−プロペニル）シクロヘキシル］ビフェニル、
１３％の　トランス−４−ビニル−トランス−４’−ペンチルビシクロヘキシル
１３％の　トランス−４−（１Ｅ−プロペニル）−トランス−４’メトキシメチルビシクロヘキシル、
４％の　　トランス−４−（３Ｅ−ペンテニル）−トランス−４’−エトキシビシクロヘキシル、
５％の　　トランス−４−（３Ｅ−ペンテニル）−トランス−４’−メトキシビシクロヘキシル、
５％の　　トランス−（１Ｅ−プロペニル）−４’−（ｐ−トリル）ビシクロヘキシル、
８％の　　４−［トランス−４−（３Ｅ−ペンテニル）シクロヘキシル］フェニル−（トランス−４−プロピルシクロヘキサンカルボキシレート、
４％の　　５−（トランス−４−ペンチルシクロヘキシル）−２−［４−（トランス−４−プロピルシクロヘキシル）フェニル］ピリミジン、
４％の　　４−シアノ−３−フルオロフェニル４−（３−ブテニルオキシル）ベンゾエート、
３％の　　トランス−４−ビニル−トランス−４’−（４−フルオロフェニル）ビシクロヘキシル、
３％の　　トランス−４−（１Ｅ−プロペニル）−トランス−４’−（４−フルオロフェニル）ビシクロヘキシル、
３％の　　トランス−４−（３−ブテニル）−トランス−４’−（４−フルオロフェニル）ビシクロヘキシル、
５％の　　２−［トランス−４−（４−フルオロフェニル）シクロヘキシル］−５−（１Ｅ−プロペニル）−１，３−ジオキサン、
５％の　　トランス−４−（３，４−ジフルオロフェニル）−トランス−４’−（１Ｅ−プロペニル）ビシクロヘキシル
　【００５７】
基本混合物２
２％の　　４−（５−ブチル−２−ピリミジニル）ベンゾニトリル、
８％の　　４−［トランス−４−（１Ｅ−プロペニル）シクロヘキシル］ベンゾニトリル、
６％の　　４−［トランス−４−（３Ｅ−ペンテニル）シクロヘキシル］ベンゾニトリル、
５％の　　４−［トランス−４−（１Ｅ−ブテニル）ジクロヘキシル］ベンゾニトリル、
５％の　　トランス−４−ビニル−トランス−４’−シアノビシクロヘキシル、
６．９％のトランス−４−（１Ｅ−プロペニル）−トランス−４’−シアノビシクロヘキシル、
３％の　　２−シアノ−５−（トランス−４−ブチルシクロヘキシル）ピリミジン、
３％の　　２−シアノ−５−（トランス−４−ペンチルシクロヘキシル）ピリミジン、
６．４％の（ｐ−シアノフェニル）−４−［２−（トランス−４−プロピルシクロヘキシル）−エチル］シクロヘキシルカルボキシレート、
１１％の　トランス−４−（３Ｅ−ペンテニル）−トランス−４’−エトキシビシクロヘキシル、
１１．７％のトランス−４−ビニル−トランス−４’−ペンチルビシクロヘキシル、
８％の　　４−［トランス−４−（３Ｅ−ペンテニル）シクロヘキシル］フェニル（トランス−４−プロピルシクロヘキサンカルボキシレート、
３．９％のトランス−４−ビニル−４’−（４−フルオロフェニル）ビシクロヘキシル、
３．９％のトランス−４−（１Ｅ−プロペニル）−４’−（４−フルオロフェニル）ビシクロヘキシル、
３．４％のｐ−フルオロ−フェニル４−［トランス−４−（３Ｅ−ブテニル）シクロヘキシル］シクロヘキサノエート、
６．８％のトランス−４−（３，４−ジフルオロフェニル）−トランス−４’（１Ｅ−プロペニル）ビシクロヘキシル、
６％の　　２−［トランス−４−（４−フルオロフェニル）シクロヘキシル］−５−（１Ｅ−プロペニル）ジオキソラン
　【００５８】
基本混合物３
１０％の　４−（５−ブチル−２−ピリミジニル）ベンゾニトリル、
６％の　　４−［トランス−４−（１Ｅ−プロペニル）シクロヘキシル］ベンゾニトリル、
５．５％の４−シアノ−４’−［トランス−４−（１Ｅ−プロペニル）シクロヘキシル］ビフェニル、
４．５％の４−シアノ−４’−［トランス−４−（３Ｅ−ペンテニル）シクロヘキシル］ビフェニル、
１３％の　トランス−４−ビニル−トランス−４’−ペンチルビシクロヘキシル、
１３％の　トランス−４−（１Ｅ−プロペニル）−トランス−４’−メトキシメチルビシクロヘキシル、
１３％の　トランス−４−（３Ｅ−ペンテニル）−トランス−４’−エトキシビシクロヘキシル、
５％の　　トランス−（１Ｅ−プロペニル）−トランス−４’−（４−トリル）ビシクロヘキシル、
４％の　　４−［トランス−４−（３Ｅ−ペンテニル）シクロヘキシル］−４’−プロピルビフェニル、
４％の　　５−（トランス−４−ペンチルシクロヘキシル）−２−［４−（トランス−４−プロピルシクロヘキシル）フェニル］ピリミジン、
７％の　　４−シアノ−３−フルオロフェニル４−（３−ブテニル）ベンゾエート、
３．５％のトランス−４−ビニル−トランス−４’−（ｐ−フルオロフェニル）ビシクロヘキシル、
３．５％のトランス−４−（３−ブテニル）−トランス−４’−（ｐ−フルオロフェニル）ビシクロヘキシル、
３．０％のトランス−４−（１Ｅ−プロペニル）−トランス−４’−（ｐ−フルオロフェニル）ビシクロヘキシル、
５％の　　トランス−４−（３，４−ジフルオロフェニル）−トランス−４’−（１Ｅ−プロペニル）−ビシクロヘキシル
　【００５９】
　混合物例Ａ
７４．６３％の　基本混合物１
１５．１７０％の４−シアノ−３−フルオロフェニル４−（３Ｅ−ペンテニル）ベンゾエート
１０．２％の４−シアノ−３−フルオロフェニル４−（３−ブテニル）ベンゾエート
ｃｌ．ｐ．（Ｎ−Ｉ）８４℃、Ｖ１０＝１．３Ｖ、ｔｏｎ＝３０．３ｍｓ、ｔｏｆｆ＝５３ｍｓ、Δｎ＝０．１３１
　【００６０】
　混合物例Ｂ
７４．９１％の基本混合物２
１５．１％の４−シアノ−３−フルオロフェニル４−（３Ｅ−ペンテニル）ベンゾエート、
９．９９％の４−シアノ−３−フルオロフェニル４−（３−ブテニル）ベンゾエート
ｃｌ．ｐ．（Ｎ−Ｉ）８２℃、Ｖ１０＝１．３２Ｖ、ｔｏｎ＝３５．５ｍｓ、ｔｏｆｆ＝５４．２ｍｓ、Δｎ＝０．１２５
　【００６１】
　混合物例Ｃ
８０％の基本混合物３
１２％の４−シアノ−３−フルオロフェニル４−（３Ｅ−ペンテニル）ベンゾエート
８％の４−シアノ−３−フルオロフェニル４−（３−ブテニル）ベンゾエート
ｃｌ．ｐ．（Ｎ−Ｉ）９３℃、Ｖ１０＝１．４７Ｖ、ｔｏｎ＝２２．４ｍｓ、ｔｏｆｆ＝４０．８ｍｓ、Δｎ＝０．１４４